(57)【要約】      （修正有）【課題】トイレットペーパーの切れ目つまり先端を常に取りやすく出しておく、トイレットペーパーホルダー及びカバーを提供する。【解決手段】従来のトイレットペーパーホルダー又はカバーの上ふた部分の下辺の位置を下にさげ、上ふたを適宜な長さ、下に延長する。延長した部分の下方にペーパーを内側から外側に出す穴を設け、穴からペーパーを出し、ペーパーを切るようにする。又は、延長した部分の裏側下方にトイレットペーパーを通す支持体を設け、紙をが支持体に通してから延長した上ふたの下に出ているようにする。従って、トイレットペーパーの先端を手に取りやすくなり、生活利便の向上に役立つ。【選択図】図３
0003151414.tif 000002
【実用新案登録請求の範囲】
【請求項１】
従来のロール式トイレットペーパーを軸を横に置く形状のホルダーの、上ふたの紙を切る部分である下辺の位置を、トイレットペーパーを装着した時のトイレットペーパーの中心の高さより、適宜な長さ、下にさげ、上ふたを下に延長した形状の、上ふたが長い、紙が出ているトイレットペーパーホルダー又はトイレットペーパーホルダーのカバー。
【請求項２】
請求項１のトイレットペーパーホルダーのカバーで、延長した上ふたの下方に適宜な大きさの穴を設け、トイレットペーパーの先端をが常に内側から外側に出しておけて、従来のトイレットペーパーホルダーを利用して使用でき、トイレットペーパーホルダーの上ふたの部分の形状が請求項１の形状である、請求項１の上ふたが長い、紙が出ているトイレットペーパーホルダーのカバー。
【請求項３】
請求項１、２のトイレットペーパーホルダーのカバーで、トイレットペーパーストックを装備した形状の、請求項１、２の紙が出ているトイレットペーパーホルダーのカバー。
【請求項４】
請求項１のトイレットペーパーホルダーで、従来のトイレットペーパーホルダーに、紙を切る部分である下辺の位置を適宜な長さ下にさげ、上ふたを延長した形状で下方にトイレットペーパーを内側から外側に出す穴を設けた、請求項１の上ふたが長い、紙が出ているトイレットペーパーホルダー。
【請求項５】
請求項１、４のトイレットペーパーホルダーで、穴の上側に、ひさしの形状のものを装着し、トイレットペーパーを切る時に、前述のひさしを押さえると、ひさしの下側でトイレットペーパーが切れ、また、前述のひさしを押さえた時、穴よりひさしが適宜な長さ下にくる形状である、請求項１、４の上ふたが長い、紙が出ているトイレットペーパーホルダー。
【請求項６】
請求項１のトイレットペパーホルダーのカバーで、延長した部分の下方の裏側にトイレットペーパーを通して支持する支持体を、左右に橋渡しする形状、或いは下垂型の上ふたに対して出っ張っていてそこにトイレットッペーパーを通す孔を設けた形状等で設けて、裏面で支持体を通してから延長された上ふたの下からトイレットペーパーを出して、トイレットペーパーを切るようにした形状の、上ふたが長い、紙が出ているトイレットペーパーホルダーのカバー。
【請求項７】
請求項１、６のトイレットペーパーホルダーのカバーで、トイレットペーパーストックを装備した形状の、請求項１、６の上ふたが長い、紙が出ているトイレットペーパーホルダーのカバー。
【請求項８】
請求項１のトイレットペーパーホルダーで、延長した部分の下方の裏側にトイレットペーパーを通して支持する支持体を、左右に橋渡しする形状、或いは下垂型の上ふたに対して出っ張っていてそこにトイレットッペーパーを通す孔を設けた形状等で設けて、裏面で支持体を通してから延長された上ふたの下からトイレットペーパーを出して、トイレットペーパーを切るようにした形状の、上ふたが長い、紙が出ているトイレットペーパーホルダー。
【考案の詳細な説明】
【技術分野】
【０００１】  本考案は、従来のロール式トイレットペーパーを軸を横にして入れるホルダーに入った、トイレットペーパーの切れ目つまり先端を常に取りやすく出しておく、上ふたが長い、紙が出ているトイレットペーパーホルダー及びカバーである。
【背景技術】
【０００２】  従来、トイレットペーパーホルダーに入った、トイレットペーパーの切れ目を探す際、なかなか見つからず、手間取り不快であるという欠点があった。
【考案の開示】
【考案が解決しようとする課題】
【０００３】  トイレットペーパーホルダーに入った、トイレットペーパーの切れ目を探す際、トイレットペーパーをぐるぐる回す等して、非常に手間取り不快であった。よって、従来のトイレットペーパーホルダーの上ふた又はトイレットペーパーホルダーカバーの上ふた部分の紙を切る部分である下辺の位置を適宜な長さ、下にさげ、上ふたを延長する。延長した部分の下方にトイレットペーパーを内側から外側に出す穴を設け、穴からトイレットペーパーを出して、穴から出たところで、トイレットペーパーを切るようにする。または、延長した部分の下方の裏側にトイレットペーパーを通して支持する支持体を左右に渡して設け、裏面で支持体を通してから延長された上ふたの下からトイレットペーパーを出して、トイレットペーパーを切るようにする。よって、トイレットペーパーの利便性が向上し、前述の欠点を解決するものである。
【課題を解決するための手段】
【０００４】  本考案は、従来のトイレットペーパーホルダーの上ふた又はトイレットペーパーホルダーカバーの上ふた部分の下辺の位置を適宜な長さ、下にさげ、上ふたを延長する。延長した部分の下方にトイレットペーパーを内側から外側に出す穴を設け、穴からトイレットペーパーを出して、穴から出たところで、トイレットペーパーを切るようにする。または、延長した部分の下方の裏側にトイレットペーパーを通して支持する支持体を左右に渡して設け、裏面で支持体を通してから延長された上ふたの下からトイレットペーパーを出して、トイレットペーパーを切るようにする。この場合、トイレットペ−パホルダー又はカバーの上ふた部分を延長した分、トイレットペ−パーの先端がトイレットペーパーロールから垂れ下がり、従来、トイレットペーパーロールにトイレットペーパーの先端が密着しやすい為、切れ目を探すのに手間取った欠点を解消し、外観も美しく、常にトイレットペーパーの先端がトイレットペーパーロールから離れて垂れ下がって、手に取りやすい状態を実現した。よって、利便性の高い、紙が出ているトイレットペーパーホルダー又はトイレットペーパーホルダーのカバーを実現し、前述の欠点を解決するものである。
【考案の効果】
【０００５】  上述の様に、本考案のトイレットペーパーホルダーの上ふた又はトイレットペ−パホルダーのカバーは、上ふたの下辺の位置を下に延長した分、トイレットペーパーの先端がトイレットペーパーロールから離れている上、穴を設ける場合は、手に取りやすく穴から出ているので、穴からトイレットペーパーが出ているところでトイレットペーパーを切れば、次の人がトイレットペーパーの先端を探すのに苦労することがなくなる。裏面に支持体を左右に渡す場合も、同様に、上ふたの下から紙が常に出ているので手に取りやすい。万一、トイレットペーパーを切った時に、ペーパーの先端が穴の中に入ってしまっても、上ふたの下辺を下に延長した分トイレットペーパーがロールから垂れ下がっているので、先端を見つけやすい。特に、目の悪い人や、子どもや高齢者で、今までトイレットペーパーの先端を見つけるのに苦労してきた方々に役に立つ。又、トイレットペーパーホルダーのカバーの場合、特に家庭等で従来のトイレットペーパーホルダーを改変することなく使用できる。よって、利便性が高く、生活利便の向上等に役立つ。
【考案を実施するための最良の形態】
【０００６】  本考案は、従来のトイレットペーパーホルダーの上ふた又はトイレットペーパーホルダーカバーの上ふた部分の紙を切る部分である下辺の位置を、従来のロール式トイレットペーパーを装着した時のトイレットペーパーの中心の高さより、適宜な長さ、下にさげ、上ふたを下に延長しする。延長した部分の下方にトイレットペーパーを内側から外側に出すための、適宜な形状の穴を設け、穴からトイレットペーパーを出して、穴から出たところで、トイレットペーパーを切るようにする。または、延長した部分の下方の裏側にトイレットペーパーを通して支持する支持体を左右に渡して設け、裏面で支持体を通してから延長された上ふたの下からトイレットペーパーを出して、トイレットペーパーを切るようにする。
支持体の形状は、棒状、板状、或いはバンド状等でトイレットペーパーを通す孔を形成するように左右に橋渡しした形状や、或いは上ふたの裏面に板状の形状を装着し、そこにトイレットペーパーを通す孔を形成した形状等である。
支持体を装着する位置は、上ふたの最下辺よりも少し上が適当である。
【実施例】
【０００７】  以下、本考案を限定することを目的としない、本考案の実施例を図面に従い説明する。
実施例１  以下、添付図面１、４に従い実施例１を説明する。本実施例は、トイレットペーパーホルダーの上ふたの下辺の位置をさげ、上ふたを延長する場合である。まず、トイレットペーパーホルダーの上ふた部分の紙を切る部分である下辺の位置を適宜な長さ、下にさげ、上ふたを下に延長し、延長した部分にトイレットペーパーを内側から外側に出す穴を設け、穴からトイレットペーパーを出して、穴から出たところで、トイレットペーパーを切るようにする。穴は、適宜な形状の穴である。本実施例では、トイレットペーパーの幅以上の幅を持つ穴を設ける。従来のトイレットペーパーホルダーの上ふたに延長する部分を装着させる形状も可能である。
また、穴の上側にひさしの形状のものを装着し、例えばバネ等で普段はトイレットペーパーホルダー本体から下側を浮かせて、トイレットペーパーを切る時に、本ひさしを押さえてひさしの下側で、トイレットペーパーを切るようにしてもよい。ひさしは、押さえた時、穴より下に来る大きさが適当である。【０００８】  実施例２  以下、添付図面２、３に従い実施例２を説明する。本実施例は、トイレットペーパーホルダーカバーの上ふたの下辺の位置をさげ、上ふたを延長する場合である。まず、トイレットペーパーホルダーカバーの上ふた部分の下辺の位置を適宜な長さ、下にさげ、上ふたを延長し、延長した部分にトイレットペーパーを内側から外側に出す穴を設け、穴からトイレットペーパーを出して、穴から出たところで、トイレットペーパーを切るようにする。穴は、トイレットペーパーの幅以上の穴である。本カバーは、上ふた部分のみのものや、従来のトイレットペーパーホルダーカバーのように、下にペーパーストックが付いたもの等が可能である。【０００９】  実施例３  以下、添付図面５に従い実施例３を説明する。本実施例は、延長した上ふたの裏面下方に支持体を棒状に形成したトイレットペーパーホルダーの場合である。まず、トイレットペーパーホルダーの上ふた部分の紙を切る部分である下辺の位置を適宜な長さ、下にさげ、上ふたを下に延長し、延長した部分の下方の裏側にトイレットペーパーを通して支持する支持体を左右に渡した棒状に設け、裏面で支持体を通してから延長された上ふたの下からトイレットペーパーを出して、トイレットペーパーを切るようにする。【００１０】  実施例４  以下、添付図面６、７に従い実施例４を説明する。本実施例は、実施例３の形状の上ふたを持つトイレットペーパーホルダー場合である。まず、トイレットペーパーホルダーカバーの上ふた部分の下辺の位置を適宜な長さ、下にさげ、上ふたを延長し、延長した部分の下方の裏側にトイレットペーパーを通して支持する支持体を設け、裏面で支持体を通してから延長された上ふたの下からトイレットペーパーを出して、トイレットペーパーを切るようにする。支持体は、布やゴム、ゴムバンド、平綾等のテープ、リボン等の素材で、左右に橋渡しするように形成する。位置は、上ふたの下辺より少し上が適当である。本カバーは、上ふた部分のみのものや、従来のトイレットペーパーホルダーカバーのように、下にペーパーストックが付いたもの等が可能である。【００１１】  本考案の形態は上述の如き構成からなるものであるから、トイレットペーパーの先端が手に取りやすく、利便性の高い、紙が出ているトイレットペーパーホルダーの上ふた又はトイレットペーパーホルダーのカバーを可能にした。
【図面の簡単な説明】
【００１２】
【図１】上ふたが長い、紙が出ているトイレットペーパーホルダー又はトイレットペーパーホルダーのカバーの実施例１の斜視図
【図２】上ふたが長い、紙が出ているトイレットペーパーホルダー又はトイレットペーパーホルダーのカバーの実施例２の斜視図
【図３】上ふたが長い、紙が出ているトイレットペーパーホルダー又はトイレットペーパーホルダーのカバーの実施例２の斜視図
【図４】上ふたが長い、紙が出ているトイレットペーパーホルダー又はトイレットペーパーホルダーのカバーの実施例１のひさしの形状のものを付けた場合の実施例の斜視図
【図５】上ふたが長い、紙が出ているトイレットペーパーホルダー又はトイレットペーパーホルダーのカバーの実施例３の斜視図
【図６】上ふたが長い、紙が出ているトイレットペーパーホルダー又はトイレットペーパーホルダーのカバーの実施例４の斜視図
【図７】上ふたが長い、紙が出ているトイレットペーパーホルダー又はトイレットペーパーホルダーのカバーの実施例４のペーパーストックが付いた実施例の斜視図
【符号の説明】
【００１３】  １  トイレットペーパー
５  トイレットペーパーホルダーの上ふた
６  穴
７  トイレットペーパーホルダーカバーの上ふた
８  ペーパーストック
１１  ひさしの形状のもの
１５  支持体
【図１】
0003151414.tif 000003
【図２】
0003151414.tif 000004
【図３】
0003151414.tif 000005
【図４】
0003151414.tif 000006
【図５】
0003151414.tif 000007
【図６】
0003151414.tif 000008
【図７】
0003151414.tif 000009
【手続補正書】
【提出日】平成21年3月11日(2009.3.11)
【手続補正１】
【補正対象書類名】実用新案登録請求の範囲
【補正対象項目名】全文
【補正方法】変更
【補正の内容】
【実用新案登録請求の範囲】
【請求項１】
ロール式トイレットペーパーを軸を横に置く形状のホルダーの、上ふたの紙を切る部分である下辺の位置を、トイレットペーパーを装着した時のトイレットペーパーの中心の高さより、適宜な長さ、下にさげ、上ふたを下に延長した形状の、上ふたが長い、上ふたの取出し口または上ふたの下辺から紙を出しておく構造の、トイレットペーパーホルダー又は前記上ふたの形状と同一の形状を有するトイレットペーパーホルダーのカバー。
【請求項２】
請求項１のトイレットペーパーホルダーのカバーで、延長した上ふたの下方に適宜な大きさの穴を設け、トイレットペーパーの先端を常に内側から外側に出しておけて、トイレットペーパーホルダーの上ふたの部分の形状が請求項１の形状である、請求項１の上ふたが長い、取出し口が付いているトイレットペーパーホルダーのカバー。
【請求項３】
請求項１または２のトイレットペーパーホルダーのカバーで、トイレットペーパーストックを装備した形状の、請求項１または２の取出し口が付いているトイレットペーパーホルダーのカバー。
【請求項４】
請求項１のトイレットペーパーホルダーで、トイレットペーパーホルダーに、紙を切る部分である下辺の位置を適宜な長さ下にさげ、上ふたを延長した形状で下方にトイレットペーパーを内側から外側に出す穴を設けた、請求項１の上ふたが長い、取出し口が付いているトイレットペーパーホルダー。
【請求項５】
請求項１または４のトイレットペーパーホルダーで、穴の上側に、ひさしの形状のものを装着し、トイレットペーパーを切る時に、前述のひさしを押さえると、ひさしの下側でトイレットペーパーが切れ、また、前述のひさしを押さえた時、穴よりひさしが適宜な長さ下にくる形状である、請求項１または４の上ふたが長い、取出し口が付いているトイレットペーパーホルダー。
【請求項６】
請求項１のトイレットペーパーホルダーのカバーで、延長した部分の下方の裏側にトイレットペーパーを通して支持する支持体を、左右に橋渡しする形状、或いは下垂型の上ふたに対して出っ張っていてそこにトイレットッペーパーを通す孔を設けた形状等で設けて、裏面で支持体を通してから延長された上ふたの下からトイレットペーパーを出して、トイレットペーパーを切るようにした形状の、上ふたが長い、上ふたの下辺から紙を出しておく構造の、トイレットペーパーホルダーのカバー。
【請求項７】
請求項１または６のトイレットペーパーホルダーのカバーで、トイレットペーパーストックを装備した形状の、請求項１または６の上ふたが長い、上ふたの下辺から紙を出しておく構造の、トイレットペーパーホルダーのカバー。
【請求項８】
請求項１のトイレットペーパーホルダーで、延長した部分の下方の裏側にトイレットペーパーを通して支持する支持体を、左右に橋渡しする形状、或いは下垂型の上ふたに対して出っ張っていてそこにトイレットッペーパーを通す孔を設けた形状等で設けて、裏面で支持体を通してから延長された上ふたの下からトイレットペーパーを出して、トイレットペーパーを切るようにした形状の、上ふたが長い、上ふたの下辺から紙を出しておく構造の、トイレットペーパーホルダー。
【手続補正３】
【補正対象書類名】明細書
【補正対象項目名】０００１
【補正方法】変更
【補正の内容】
【０００１】  本考案は、従来のロール式トイレットペーパーを軸を横にして入れるホルダーに入った、トイレットペーパーの切れ目つまり先端を常に取りやすく出しておく、上ふたが長い、上ふたの取出し口または上ふたの下辺から紙を出しておく構造の、トイレットペーパーホルダー及びカバーである。
【手続補正４】
【補正対象書類名】明細書
【補正対象項目名】０００４
【補正方法】変更
【補正の内容】
【０００４】  本考案は、従来のトイレットペーパーホルダーの上ふた又はトイレットペーパーホルダーカバーの上ふた部分の下辺の位置を適宜な長さ、下にさげ、上ふたを延長する。延長した部分の下方にトイレットペーパーを内側から外側に出す穴を設け、穴からトイレットペーパーを出して、穴から出たところで、トイレットペーパーを切るようにする。または、延長した部分の下方の裏側にトイレットペーパーを通して支持する支持体を左右に渡して設け、裏面で支持体を通してから延長された上ふたの下からトイレットペーパーを出して、トイレットペーパーを切るようにする。この場合、トイレットペ−パホルダー又はカバーの上ふた部分を延長した分、トイレットペ−パーの先端がトイレットペーパーロールから垂れ下がり、従来、トイレットペーパーロールにトイレットペーパーの先端が密着しやすい為、切れ目を探すのに手間取った欠点を解消し、外観も美しく、常にトイレットペーパーの先端がトイレットペーパーロールから離れて垂れ下がって、手に取りやすい状態を実現した。よって、利便性の高い、上ふたが長い、上ふたの取出し口または上ふたの下辺から紙を出しておく構造の、トイレットペーパーホルダー又はトイレットペーパーホルダーのカバーを実現し、前述の欠点を解決するものである。
【手続補正５】
【補正対象書類名】明細書
【補正対象項目名】００１１
【補正方法】変更
【補正の内容】
【００１１】  本考案の形態は上述の如き構成からなるものであるから、トイレットペーパーの先端が手に取りやすく、利便性の高い、上ふたが長い、上ふたの取出し口または上ふたの下辺から紙を出しておく構造の、トイレットペーパーホルダーの上ふた又はトイレットペーパーホルダーのカバーを可能にした。
【手続補正６】
【補正対象書類名】明細書
【補正対象項目名】００１２
【補正方法】変更
【補正の内容】
【００１２】
【図１】上ふたが長い、上ふたの取出し口または上ふたの下辺から紙を出しておく構造の、トイレットペーパーホルダー又はトイレットペーパーホルダーのカバーの実施例１の斜視図
【図２】上ふたが長い、上ふたの取出し口または上ふたの下辺から紙を出しておく構造の、トイレットペーパーホルダー又はトイレットペーパーホルダーのカバーの実施例２の斜視図
【図３】上ふたが長い、上ふたの取出し口または上ふたの下辺から紙を出しておく構造の、トイレットペーパーホルダー又はトイレットペーパーホルダーのカバーの実施例２の斜視図
【図４】上ふたが長い、上ふたの取出し口または上ふたの下辺から紙を出しておく構造の、トイレットペーパーホルダー又はトイレットペーパーホルダーのカバーの実施例１のひさしの形状のものを付けた場合の実施例の斜視図
【図５】上ふたが長い、上ふたの取出し口または上ふたの下辺から紙を出しておく構造の、トイレットペーパーホルダー又はトイレットペーパーホルダーのカバーの実施例３の斜視図
【図６】上ふたが長い、上ふたの取出し口または上ふたの下辺から紙を出しておく構造の、トイレットペーパーホルダー又はトイレットペーパーホルダーのカバーの実施例４の斜視図
【図７】上ふたが長い、上ふたの取出し口または上ふたの下辺から紙を出しておく構造の、トイレットペーパーホルダー又はトイレットペーパーホルダーのカバーの実施例４のペーパーストックが付いた実施例の斜視図